(57)【要約】本発明の方法は、ダウンロードされるコンテンツ（１２）を識別する段階（１００）と、ダウンロードされるコンテンツ内の所定の継続時間のセクションの総数を決定する段階（１２０）と、セクションの総数のうちの所定数のセクションをスクリーニングして、所定数のセクションがスクリーニングアルゴリズムを介して正しく確認されるか否かを判断する段階（１３０）とを有する。スクリーニングアルゴリズムへの攻撃を阻止する方法のスクリーニング段階においてスクリーニングされる所定セクションの数は、３分間又はそれ以下の継続時間を有するコンテンツには、２であり、また、最初の３分間を越えた後の持続時間の１分ごとに１増分される。更に、装置及びコンピュータプログラムも提供する。
2005504385.tif 000002
【特許請求の範囲】
【請求項１】
スクリーニングアルゴリズムへの攻撃を阻止する方法であって、
ダウンロードされるコンテンツを識別する段階と、
前記ダウンロードされるコンテンツ内の所定の継続時間のセクションの総数を決定する段階と、
前記セクションの総数のうちの所定数のセクションをスクリーニングして、前記所定数のセクションが前記スクリーニングアルゴリズムを介して正しく確認されるか否かを判断する段階と、
を有し、
前記所定数のセクションは、前記コンテンツの特性の関数である方法。
【請求項２】
前記セクションの総数のうちの１つ以上のセクションの前記所定の継続時間は、約１５秒である請求項１記載の方法。
【請求項３】
前記スクリーニング段階においてスクリーニングされる前記セクションの所定数は、２である請求項１記載の方法。
【請求項４】
前記スクリーニング段階の前に、前記コンテンツの全体の時間の長さを決定する段階を更に有する請求項１記載の方法。
【請求項５】
前記セクションの所定数は、約３分間又は３分間より短い継続時間を有するコンテンツに対しては、２である請求項１記載の方法。
【請求項６】
前記セクションの所定数は、最初の３分間を越えた継続時間の１分ごとに１増分される請求項５記載の方法。
【請求項７】
スクリーニングされる前記セクションの所定数は、前記コンテンツに対する継続時間の関数である請求項１記載の方法。
【請求項８】
スクリーニングされる前記セクションの所定数は、所望するセキュリティのレベル対所望するパフォーマンスのレベルの関数として動的に決定される請求項１記載の方法。
【請求項９】
スクリーニングアルゴリズムへの攻撃を阻止する装置であって、
プロセッサデバイスと、
メモリデバイスと、
を有し、
前記プロセッサデバイスは、ダウンロードされるよう識別されるコンテンツをスクリーニングするために前記メモリデバイス上に格納されるスクリーニングアルゴリズムを処理し、
コンテンツの少なくとも２つのセクションが、前記スクリーニングアルゴリズムによりスクリーニングされる装置。
【請求項１０】
コンテンツの最初の３分間を越えた後のコンテンツの１分毎に、コンテンツの追加のセクションが前記スクリーニンググアルゴリズムによりスクリーニングされる請求項９記載の装置。
【請求項１１】
スクリーニングアルゴリズムへの攻撃を阻止するためのコンピュータプログラムであって、
実行された場合に、
ダウンロードされるコンテンツを識別する段階と、
前記ダウンロードされるコンテンツ内の所定の継続時間のセクションの総数を決定する段階と、
前記セクションの総数のうちの所定数のセクションをスクリーニングして、前記所定数のセクションが前記スクリーニングアルゴリズムを介して正しく確認されるか否かを判断する段階と、
を実施する１つ以上のプログラムを有する機械読取り可能な媒体を有するプログラム。
【発明の詳細な説明】
【０００１】
［関連出願への相互参照］
本出願は、２００１年３月２９日に出願され、出願番号６０／２７９，６３９により識別される米国仮特許出願について優先権を主張する。この出願の開示内容は、本願に参照として組み込む。
【０００２】
［発明の属する技術分野］
本発明は、一般的にセキュア通信の分野に関わり、より具体的には、マークされたコンテンツの粗悪化（adulteration）に基づいたセキュアコンテンツスクリーニングアルゴリズムへの攻撃を阻止する技術に係る。
【０００３】
［発明の背景］
インターネットといったグローバルな通信ネットワークを介しての音楽又は他のタイプのコンテンツのデリバリにおいて、セキュリティは、ますます重要な関心事になってきている。より具体的には、このようなネットワークに基づいたコンテンツのデリバリシステムをうまく実施することができるようになるには、大部分は、コンテンツプロバイダが適切なコピーライト使用料を受け取り、供給されたコンテンツの海賊版を製造することができないことを確実にすることに依存する。供給されたコンテンツの海賊版を製造することができないことが確実にされなければ、そのコンテンツは非合法に利用されてしまう。
【０００４】
音楽コンテンツのデリバリに関して、セキュア・デジタル・ミュージック・イニシアティブ（ＳＤＭＩ）として知られる協調的な開発努力が、最近、主要な記録産業及び技術系企業によって結成された。ＳＤＭＩの目標は、デジタル音楽セキュリティのためのオープンな相互利用可能なアーキテクチャの開発である。これは、コンテンツ開発及びデリバリにおける投資を保護するためにコピーライトプロテクトを与えると同時に、高品質デジタル音楽への便利なアクセス可能性に対する消費者の要求に応えるであろう。ＳＤＭＩは、１９９９年に、携帯可能な音楽装置のための標準仕様（ＳＤＭＩ携帯可能装置規格、パート１、バージョン１．０）をつくり、１９９９年の後半にこの仕様に対する修正案が発行された。この仕様及び修正案は共に、本願に参照として組み込む。ＳＤＭＩのこの長期間に亘る努力は、現在、全ての形式のデジタル音楽のデリバリのための全体的なアーキテクチャの完成に向かって進められている。
【０００５】
コピーライト材料の不正な流通は、この材料に対する正規のコピーライト使用料を所有者から奪い、また、この不正に流通される材料の供給者に、不正流通を続けることを促進させてしまう利益を与え得る。インターネットにより与えられる情報転送の容易さを考慮するに、例えば、芸術的な表現物又は制限された流通権を有する他の材料といったコピープロテクトされることを意図するコンテンツは、様々な不正な流通の影響を受けやすい。例えば、圧縮オーディオファイルを格納且つ伝送するためのＭＰ３フォーマットは、３０又は４０メガバイトのデジタルオーディオ記録の曲を、３又は４メガバイトＭＰ３ファイルに圧縮することができるので、オーディオ記録の広範囲の流通を実現可能にした。インターネットへの一般的な５６ｋｂｐｓダイアルアップ接続を用いると、このＭＰ３ファイルは、数分間で、ユーザのコンピュータにダウンロードされることが可能である。従って、悪意のある者が、オリジナル且つ正規のＣＤから曲を読取り、それらの曲をＭＰ３フォーマットに符号化し、ＭＰ３符号化された曲をインターネット上に置いて、広範囲にわたる不正な流通を可能にしてしまい得る。或いは、悪意のある者は、ＭＰ３符号化された曲をダウンロードするためのダイレクトダイアルインサービスを提供し得る。ＭＰ３符号化された曲の不正コピーは、次に、ソフトウェア又はハードウェア装置によりレンダリングされるか、又は、伸長されて従来のＣＤプレーヤで再生することができるよう記録可能なＣＤに格納され得る。
【０００６】
コピープロテクトされたコンテンツの複製を制限するために多数のスキームが提案されている。ＳＤＭＩ等は、認可コンテンツを識別するために「デジタル透かし」を使用することを推奨している。米国特許第５，９３３，７９８号（代理人整理番号ＰＨＮ１５９１２）は、電子材料に透かしを付ける技術を開示する。紙の透かしと同様に、デジタル透かしは、コンテンツに埋め込まれて検出可能ではあるが、目立たないようにされる。例えば、透かしを有するデジタル音楽記録のオーディオ再生は、透かしのない同様の記録の再生から実質的に区別をすることはできない。しかし、透かし検出装置は、透かしの有無に基づいてこれらの２つの記録を区別することができる。一部のコンテンツはコピープロテクトされておらず、従って、透かしを有し得ないので、透かしがないことを適法材料と不適法材料を区別するために用いることができない。反対に、透かしがないことは、コンテンツは、適法的に自由にコピーすることができることを示唆する。
【０００７】
他のコピープロテクトスキームも利用可能である。例えば、欧州特許出願ＥＰ９８３６８７Ａ２（代理人整理番号ＰＨＮ１６８０９）は、プロテクトされた材料がレンダリングされ得る回数を制御する透かし「チケット」の使用によってコピーライト材料を保護する技術を提示する。
【０００８】
透かしが付けられる材料を正確に複製すると、その透かしは、透かしが付けられるコンテンツのコピーにおいて複製される。しかし、透かしが付けられるコンテンツの不正確な又はロッシー複製は、材料のコピーには透かしの複製を与えない場合がある。ＳＤＭＩのプロテクトスキームを含む多数のプロテクトスキームは、このロッシー複製の特性を利用して、適切な透かしの有無に基づいて、適法材料を不適法材料から区別する。ＳＤＭＩシナリオでは、２種類の透かしが定義付けられる。即ち、「ロバスト」透かしと、「フラジャイル」透かしである。ロバスト透かしは、例えば、オーディオ記録のＭＰ３符号化といったように、オリジナルコンテンツのかなりの部分を維持するよう設計され、ロッシー複製をしても残ると考えられる透かしである。つまり、複製が、オリジナルの記録の妥当なレンダリングを可能にするよう十分な情報を維持する場合、ロバスト透かしも維持される。一方、フラジャイル透かしは、ロッシー複製又は他の不正な改竄により損なわれると考えられる透かしである。
【０００９】
ＳＤＭＩスキームでは、ロバスト透かしがあることは、コンテンツはコピープロテクトされていることを示唆し、また、ロバスト透かしがあるときに対応するフラジャイル透かしがない又は損なわれていることは、コピープロテクトされたコンテンツが何らかの方法で改竄が試みられたことを示唆する。ＳＤＭＩに準拠する装置は、損なわれた透かしを有するか、又は、ロバスト透かしは検出するフラジャイル透かしは有さない透かし付き材料のレンダリングを拒否するよう構成される。ただし、この透かしが損なわれていること又はないことが、ポータブルプレーヤ上での使用のためにコピープロテクトされたコンテンツのＳＤＭＩ圧縮といった「ＳＤＭＩ認証」された処理により正当化される場合は、拒否しない。参照及び理解を容易にするために、「レンダリングする」という本願で用いる用語は、例えば、再生、記録、変換、有効化、格納、ローディング等といったコンテンツの任意の処理又は転送を包含するものである。このスキームは、ＭＰ３又は他の圧縮技術を介したコンテンツの流通を制限するよう機能するが、偽造された変更のない（圧縮されていない）コンテンツの複製の流通には影響を与えない。この限られた保護は、商業的には、実現可能であると考えられる。何故なら、一曲を得るために非常に大きいファイルをダウンロードすることは、費用がかかり不便さであるので、非圧縮コンテンツを無断で取る人々を阻止する傾向があるからである。
【００１０】
ＤＳＭＩ及び他の弛まぬ努力にも関わらず、音楽及び他のコンテンツの安全な流通のための現行の技術は、多数の顕著な欠点を有する。例えば、ＳＤＭＩは、最近、ＳＤＭＩライト（Ｌｉｔｅ）と称する新しいスクリーニングアルゴリズムの使用を提案した。ＳＤＭＩライトは、原則的に、ダウンロードされるコンテンツの２つのセクションのみをスクリーニングする。この限られたスクリーニング量によって、ＳＤＭＩライトと他のコンテンツに基づいたスクリーニングアルゴリズムは、好首尾な攻撃の影響が受け易くなってしまう。
【００１１】
従って、コンテンツスクリーニングアルゴリズムへの粗悪化攻撃を阻止する方法が必要である。
【００１２】
［発明の概要］
本発明は、本願に説明する提案されたＳＤＭＩライト（Ｌｉｔｅ）スクリーニングアルゴリズム及び他のコンテンツに基づいたスクリーニングアルゴリズムへの攻撃を阻止する装置及び方法を提供する。本発明は、パフォーマンスを犠牲にすることなく、攻撃者が、不正コンテンツを、スクリーニングに好首尾に通過させる機会を大幅に減少する程度まで、スクリーニングアルゴリズムの効果を改善するコンセプトに基づいている。
【００１３】
本発明の１つの利点は、従来技術のスクリーニングアルゴリズムの少なくとも１つの欠点を解決することである。基礎となる従来技術のスクリーニングアルゴリズムが、全てのコンテンツプロバイダに対し便利で、効率がよく、且つ費用効果的なプロテクトを供給するよう向上されることが可能となるのは、好首尾な識別と欠点の阻止によってのみである。
【００１４】
本発明の１つの面によると、スクリーニングアルゴリズムへの攻撃を阻止する方法は、ダウンロードされるコンテンツを識別する段階と、ダウンロードされるコンテンツ内の所定の継続時間のセクションの総数を決定する段階と、セクションの総数のうちの所定数のセクションをスクリーニングして、所定数のセクションがスクリーニングアルゴリズムを介して正しく確認されるか否かを判断する段階とを有する。
【００１５】
本発明の別の面によると、スクリーニングアルゴリズムへの攻撃を阻止する方法のスクリーニング段階においてスクリーニングされる所定セクションの数は、３分間又はそれ以下の継続時間を有するコンテンツには、２であり、また、最初の３分間を越えた後の持続時間の１分ごとに１増分される。
【００１６】
［発明の詳細な説明］
本発明の上述及び他の特徴及び利点は、添付図面及び以下の詳細な説明からより明らかとなろう。
【００１７】
本発明は、データのサンプリングに依存するスクリーニングアルゴリズム、特に、本願に説明する提案されたＳＤＭＩライトスクリーニングアルゴリズムへの攻撃を阻止する装置及び方法を提供する。本発明の装置及び方法は、一般的に、不正コンテンツを好首尾にダウンロードする攻撃者の機会を少なくし、同時に、スクリーニングされるセクション数と、多くのセクションをスクリーニングすることによりもたらされるパフォーマンス時間及び効率の低下とのバランスを取ることを目的とする。
【００１８】
本発明の方法及び装置は、コンテンツに基づくセキュリティスクリーニングアルゴリズムへの攻撃を阻止することが有利である。本発明に従って、スクリーニングアルゴリズムへの好首尾な攻撃を阻止することは、全てのコンテンツプロバイダに、便利で、効率が良く、更に費用効果的な保護を与えるであろう。
【００１９】
ＳＤＭＩの１つの目標は、インターネット上でのコンテンツの非合法及び不正の流通を阻止することである。この目標を達成するために、ＳＤＭＩは、ダウンロードされるべくマークされたコンテンツをスクリーニングする方法を提案する。このような提案の１つは、前述したＳＤＭＩライト（Ｌｉｔｅ）スクリーニングアルゴリズムである。一般的に、ＳＤＭＩライトスクリーニングアルゴリズムは、コンテンツが正規であるか否かを判断するために、マークされたコンテンツの２つのセクションのみをランダムにスクリーニングする。従って、長さが３分である曲に対して、その曲のうちの３０秒しかチェックされない（１５秒の試験セクションだと仮定する）。３０秒は、その曲のコンテンツ全体の６分の１しか表さない。本発明による新しいスクリーニングアルゴリズムは、現行のスクリーニングアルゴリズムのパフォーマンスを高める。
【００２０】
一般的に、コンテンツに基づいたスクリーニング方法への攻撃が好首尾に達成されてしまう１つの方法は、不正コンテンツに適法コンテンツのセクションを挿入することによって粗悪化攻撃を開始することによる。挿入されるセクションは、挿入されるセクションがスクリーニングアルゴリズムによって選択されても、挿入されたセクションは、スクリーニングアルゴリズムによって正しく確認されるという意味で、首尾一貫している。本願に記載するスクリーニングアルゴリズムは、ＳＤＭＩライト（Ｌｉｔｅ）アルゴリズムと、例えば、ＣＤＳａｆｅアルゴリズムのような他のコンテンツに基づいたスクリーニングアルゴリズムを包含する。ＣＤＳａｆｅアルゴリズムは、トーイン・スターリング（Toine  Staring）、マイケル・エプスタイン（Michael  Epstein）、及び、マーチン・ローズナー（Martin  Rosner）の発明者の名前で、「Protecting  Content  from  Illicit  Reproduction  by  Proof  of  Existence  of  a  Complete  Data  Set  via  Self-Referencing  Sections」なる名称で、２０００年３月２８日に出願された係属中の米国特許出願番号０９／５３６，９４４により詳しく記載される。この出願は、本願に参考として組み込む。
【００２１】
図１を参照するに、ＳＤＭＩライトスクリーニングアルゴリズム及びＣＤＳａｆｅアルゴリズムを攻撃する１つの方法は、例えば、インターネット１０である外部ソースからダウンロードされることが提案されるコンテンツの「（混ぜ物を混入して）品質を落とす（adulterate）」ことである。本願で用いるように、「品質を落とす」という用語は、適法であると知られているコンテンツからのセクション１８を、攻撃者が不適法であることを知っているコンテンツに挿入し、その不適法なコンテンツ１２がスクリーニングアルゴリズム１４を通過するようにさせる行為を意味する。つまり、スクリーニングアルゴリズム１４は、実際にダウンロードされるコンテンツとは異なるコンテンツである提案されるコンテンツをダウンロードするべきであると思い込まされて騙されると、スクリーニングアルゴリズム１４は、ダウンロードされるコンテンツの一部は実際には不適法に流通されるものであるにも関わらず、コンテンツ１２がダウンロードされることを許可する。
【００２２】
スクリーニングアルゴリズム１４は、別個の構成要素として図示されるが、パーソナルコンピュータ１６内のメモリ内にあり、パーソナルコンピュータ１６のプロセッサにより実行される場合もある。コンテンツが一旦ダウンロードされると、コンテンツは、コンパクトディスク、携帯情報端末（ＰＤＡ）、又は、パーソナルコンピュータ１６に接続される又は関連付けられるメモリといった他の装置に書き込みされ得る。この時点において、挿入された（粗悪化）材料は、不正なコンテンツの完全性を回復するよう取り除かれ得る。構成要素１６は、図１には、パーソナルコンピュータとして示すが、ＰＤＡ、デジタル音楽プレーヤ、無線電話機、又は、プロセッサ及び関連付けられるメモリを有する任意の他の装置として実施され得る。
【００２３】
本願に記載する攻撃の方法は、従来のスクリーニング方法では、マークされたコンテンツの小さな部分のみがスクリーニングされるので可能となる。このような種類の攻撃は、マークされたコンテンツが適法コンテンツであることを確実にするために、マークされたコンテンツの各セクションがスクリーニングされる場合は可能でなくなる。しかし、各セクションをスクリーニングすることは、時間がかかるので、スクリーニング方法のパフォーマンスに不利益に影響を与え得る。更に、マークされたコンテンツの２つのセクションのみが、上述したＳＤＭＩライトスクリーニングアルゴリズムではスクリーニングされるので、このスクリーニングアルゴリズムは、本願に説明したような種類の攻撃に基づいて欺かれてしまい得る。
【００２４】
以下の説明において、「セグメント」という用語は、コンテンツの１つ以上のセクションを有するコンテンツの連続ブロックを意味するものとして用いる。
【００２５】
本発明の１つの実施例において、マークされたコンテンツから２つのセクションが、コンテンツの長さに関わらず、コンテンツの初めの３分間にスクリーニング処理により常に選択され且つスクリーニングされる。これらのセクションは、一般的に、アトランダムに選択される。１つの好適な実施例では、追加のセクションが、最初の３分間より上の且つ最初の３分間を越えたコンテンツの１分毎にスクリーニングされる。尚、この３分間という閾値は、３分間より長くても短くてもよいことが考えられる。従って、不正コンテンツを検出する可能性が増加する。
【００２６】
図２を参照するに、本発明のもう１つの例示的な実施例に従って、スクリーニングされたコンテンツの粗悪化に基づいたスクリーニングアルゴリズムへの攻撃を阻止する方法の段階を説明するフローチャートを示す。
【００２７】
段階１００は、例えば、インターネットからのデータといった不正なコンテンツを表す。この不正コンテンツは、図１にはコンテンツ１２として表す。段階１１０において、攻撃者は、段階１００にて識別されたインターネットからのデータに、適法コンテンツの少なくとも一部を挿入する。適法コンテンツは、図１には、参照番号１８として示す。図３を参照して以下に説明するように、不適法コンテンツに、適法コンテンツの大きい又は小さいセクションを挿入し得ることが考えられる。段階１１０を終了すると、コンテンツは、スクリーニング処理を受ける準備が整う。
【００２８】
段階１２０に示すようにスクリーニング処理を始めると、ダウンロードされるコンテンツ内に存在する、適法及び不適法セクションを含むセクションの数が決定される。セクションの長さは１５秒であることが好適であるが、他のセクション継続時間も用いることも可能である。段階１３０において、スクリーニングされるセクションの数が、所定の関数Ｆ：
Ｙ＝Ｆ（Ｘ）
に基づいて計算され、ここで、Ｙは、スクリーニングされるセクション数であり、Ｘは、スクリーニングされるコンテンツ内のセクションの総数である。ＹとＸの関係は、Ｆにより決められる。Ｆは、所望のセキュリティのレベルと、所望のパフォーマンスのレベルとの間でのトレードオフによって決められる主観的な因子である。セキュリティのレベルは、パフォーマンスのレベルに反比例する。従って、ユーザにより必要とされるセキュリティの度合いが大きいほど、スクリーニングアルゴリズムは、パフォーマンスをより犠牲にする。この関係の数値的表現を図３に示す。
【００２９】
本発明の１つの好適な実施例に従うに、Ｙは、コンテンツの最初の３分間では、２である。Ｙの値は、３分間を越えたコンテンツの１分毎に１増やされる。代替の実施例では、他の値を用いることも可能である。
【００３０】
Ｙ個のセクションがスクリーニングされて、コンテンツがスクリーニング要件をパスするか否かが判断される。段階１４０において、不適法セクションが検出されると、段階１６０に示すように、コンテンツは拒否される。しかし、攻撃者により加えられた適法セクションが検出される場合は、コンテンツは、スクリーニング処理をパスし、段階１５０に示すようにダウンロードされるべく許可される。
【００３１】
上述したような攻撃を阻止する方法は、コンテンツに基づいたスクリーニングアルゴリズムが欺かれないということを保証しないが、攻撃者が好首尾に不適法のコンテンツをダウンロードする可能性は、スクリーニングされるセクション数に応じて低下する。例えば、パフォーマンスが問題ではない場合には、スクリーニングアルゴリズムは、コンテンツの１００％をスクリーニングして、不適法のコンテンツがダウンロードされないことを確実にすることが可能である。
【００３２】
図３は、不適法材料をダウンロードしようと試みた場合の攻撃者の成功の確率を示す表である。より具体的には、図３は、不正な曲中にある適法セクションの数の関数として、また、更に、本発明の好適な実施例に応じて走査されるセクション数の関数として、複数の異なる長さを有する不正な曲をダウンロードする確率を列挙する。垂直軸は、曲中にある適法セクションの数を列挙する。水平軸は、３つの情報カテゴリを与える。即ち、（１）本発明に応じてスクリーニングされるセクション数、（２）秒数で表す様々な曲の長さ、（３）曲全体の長さにおける１５秒間セクションの数、を与える。図３に列挙する確率は、スクリーニングアルゴリズムは、各曲の最初の３分間について２つのセクションのみを、最初の３分間を越えた後の曲の各追加の１分について１つの追加のセクションをスクリーニングするという仮定に基づいている。図３において計算した関数Ｆは、記載する発明のほんの１つの実施例である。
【００３３】
１つの例として、図３を参照するに、曲の長さが、１９５秒（３分と１５秒）であり、不適法コンテンツの８つのセクションと組合わされる５つのセクションが適法セクションである場合、３つのセクションがスクリーニングされ（最初の３分間について２つのセクション、追加の１５秒について１つのセクション）、曲がスクリーニング処理を通過する確率は、５と１０分の７（５．７％）である。
【００３４】
上述した本発明の実施例は、例示目的に過ぎない。例えば、本発明は、１つの曲を構成するコンテンツを参照して説明したが、本発明は、コンパクトディスク全体、及び、多数の他の種類のコンテンツのダウンロードにも同様に適用可能である。特許請求の範囲内にあるこれらの及び多数の他の実施例は、当業者には明らかであろう。
【図面の簡単な説明】
【００３５】
【図１】本発明の全体像を示す図である。
【図２】本発明の１つの例示的な実施例に従い、マークされたコンテンツの粗悪化に基づいたスクリーニングアルゴリズムへの攻撃を阻止する方法の段階を説明するフローチャートである。
【図３】曲のような不法な材料の長さ対曲に挿入される適法セクションの数で表される、曲のダウンロードを行うときの攻撃者の成功の確率を示す表である。
【図３】
2005504385.tif 000003
【国際公開パンフレット】
2005504385.tif 000004
2005504385.tif 000005
2005504385.tif 000006
2005504385.tif 000007
2005504385.tif 000008
2005504385.tif 000009
2005504385.tif 000010
2005504385.tif 000011
2005504385.tif 000012
2005504385.tif 000013
2005504385.tif 000014
2005504385.tif 000015
2005504385.tif 000016
【国際公開パンフレット（コレクトバージョン）】
2005504385.tif 000017
【国際調査報告】
2005504385.tif 000018
2005504385.tif 000019
2005504385.tif 000020